(57)【特許請求の範囲】
【請求項１】
電池パックであって、
電池と、
前記電池を受け入れる電池用開口部を有するケース部材と、
前記電池用開口部を覆うように配置され、前記ケース部材と着脱可能に接続された外装部材とを備え、
前記外装部材は、電池パックが装着される携帯機器において前記ケース部材を内部に配置する電池パック用開口部を覆うことが可能な形状であり、
前記ケース部材と前記外装部材とのいずれか一方には凸部が形成され、
前記ケース部材と前記外装部材とのいずれか他方には、前記凸部に対向する位置に開口部が形成され、
前記ケース部材と前記外装部材とは、前記凸部が前記開口部に嵌まり込む嵌合部により着脱可能に接続され、
前記ケース部材は、一方側壁と、前記一方側壁と反対側に位置する他方側壁と、前記一方側壁および他方側壁とは異なる他の側壁とを含み、
前記外装部材は、前記ケース部材の一方側壁と対向する一方固定壁部と、前記ケース部材の他方側壁と対向する他方固定壁部と、前記ケース部材の他の側壁と対向する他の固定壁部とを含み、
前記凸部は、
前記一方側壁と前記一方固定壁部とのいずれか一方に形成された一方凸部と、
前記他方側壁と前記他方固定壁部とのいずれか一方に形成された他方凸部と、
前記他の側壁と前記他の固定壁部とのいずれか一方に形成された他の凸部とを含み、
前記開口部は、
前記一方側壁と前記一方固定壁部とのいずれか他方において、前記一方凸部に対向する位置に形成された一方開口部と、
前記他方側壁と前記他方固定壁部とのいずれか他方において、前記他方凸部に対向する位置に形成された他方開口部と、
前記他の側壁と前記他の固定壁部とのいずれか他方において、前記他の凸部に対向する位置に形成された他の開口部とを含み、
前記一方固定壁部と前記一方側壁とは、前記一方凸部が前記一方開口部に嵌まり込む一方嵌合部により着脱可能に接続され、
前記他方固定壁部と前記他方側壁とは、前記他方凸部が前記他方開口部に嵌まり込む他方嵌合部により着脱可能に接続され、
前記他の固定壁部と前記他の側壁とは、前記他の凸部が前記他の開口部に嵌まり込む他の嵌合部により着脱可能に接続されている、電池パック。
【請求項２】
電池と、
一方側壁と、この一方側壁とは反対側に位置し前記一方側壁と対向するように配置される他方側壁と、前記一方側壁および他方側壁とは異なる他の側壁と、前記電池を受け入れる電池用開口部とを有するケース部材と、
前記電池用開口部を覆うように配置され、前記ケース部材と接続された外装部材とを備え、
前記外装部材は、前記ケース部材の一方側壁において前記他方側壁と対向する側面と反対側に位置する外周側面に対向するとともに前記一方側壁と接続された一方固定壁部と、前記ケース部材の他方側壁において前記一方側壁と対向する側面と反対側に位置する外周側面に対向するとともに前記他方側壁と接続された他方固定壁部と、前記ケース部材の他の側壁において前記電池用開口部側の側面と反対側に位置する外周側面に対向するとともに前記他の側壁と接続された他の固定壁部とを有し、
前記ケース部材と前記外装部材とのいずれか一方には凸部が形成され、
前記ケース部材と前記外装部材とのいずれか他方には、前記凸部に対向する位置に開口部が形成され、
前記凸部は、
前記一方側壁と前記一方固定壁部とのいずれか一方に形成された一方凸部と、
前記他方側壁と前記他方固定壁部とのいずれか一方に形成された他方凸部と、
前記他の側壁と前記他の固定壁部とのいずれか一方に形成された他の凸部とを含み、
前記開口部は、
前記一方側壁と前記一方固定壁部とのいずれか他方において、前記一方凸部に対向する位置に形成された一方開口部と、
前記他方側壁と前記他方固定壁部とのいずれか他方において、前記他方凸部に対向する位置に形成された他方開口部と、
前記他の側壁と前記他の固定壁部とのいずれか他方において、前記他の凸部に対向する位置に形成された他の開口部とを含み、
前記一方固定壁部と前記一方側壁とは、前記一方凸部が前記一方開口部に嵌まり込む一方嵌合部により着脱可能に接続され、
前記他方固定壁部と前記他方側壁とは、前記他方凸部が前記他方開口部に嵌まり込む他方嵌合部により着脱可能に接続され、
前記他の固定壁部と前記他の側壁とは、前記他の凸部が前記他の開口部に嵌まり込む他の嵌合部により着脱可能に接続されている、電池パック。
【発明の詳細な説明】
【０００１】
【発明の属する技術分野】
この発明は、電池パックに関し、より特定的には、コストを低減できるとともに、信頼性を向上させることが可能な電池パックに関する。
【０００２】
【従来の技術】
近年、電子機器、特に携帯電話機や個人情報端末あるいは通信機能を備えたノート型パソコンなどの携帯機器が急速に普及してきている。図３５は、従来の携帯機器の例としての携帯電話機を示す斜視模式図である。また、図３６は、図３５の線分ＸＸＸＶＩ−ＸＸＸＶＩにおける、携帯電話機に用いられる電池パックの断面模式図である。図３５および３６を参照して、従来の携帯電話機を説明する。
【０００３】
図３５を参照して、携帯電話機１０１は本体１０３と、この本体１０３に電流を供給する電池パック１０２とからなる。本体１０３は、フロントケース１１９とリアケース１１８と、このフロントケース１１９およびリアケース１１８との内部に収納される基板（図示せず）とを含む。基板上には、携帯電話機１０１の送受話用回路などを構成する素子が配置されている。また、フロントケース１１９側においては、本体１０３に液晶表示画面や操作用ボタンなどが配置されている。電池パック１０２は、本体１０３の後部（リアケース１１８側）に装着される。電池パック１０２には、電源供給部（図示せず）が形成されている。この電池パック１０２の電源供給部から、本体１０３へ電流が供給される。
【０００４】
図３６を参照して、電池パック１０２は、電池１１０と、この電池１１０を収納する開口部を有するケース体１０５と、ケース体１０５の開口部を覆うように配置された外装部材１０４とを備える。ケース体１０５と外装部材１０４とは、固定部１７１において超音波溶着法により固定されている。外装部材１０４は、携帯電話機１０１の外周面の一部となる。
【０００５】
また、携帯電話機には、図３５および３６に示したような電池パックを用いたもの以外に、図３７に示すような電池を装着して、その電池の装着部を覆うような電池カバーを備えるタイプもある。このような従来の携帯電話機のもう一つの例を、図３７を参照して説明する。図３７は、従来の携帯電話機のもう一つの例を示す断面模式図である。
【０００６】
図３７を参照して、携帯電話機１０１は、基板１２０を内部に保持するリアケース１１８およびフロントケース１１９と、ケース体１０５の内部に収容された電池１１０と、電池カバー１６１とを備える。フロントケース１１９には、液晶表示窓１２１が設置されている。また、基板１２０のフロントケース１１９側には操作キー１３３が配置されている。また、基板１２０上には、送受話回路などを構成する素子１６５が配置されている。
【０００７】
リアケース１１８には、電池１１０とケース体１０５とからなる電池パックを収納するための凹部が形成されている。この凹部に電池パックが収納される。リアケース１１８の上記凹部の形状は、電池パックの位置決めができるように電池パックの形状とほぼ等しくなっている。電池パックのケース体１０５には、基板１２０側において、基板１２０上の回路などに電流を供給するための端子１２７が配置されている。端子１２７は、電池１１０と導電線１２６を介して電気的に接続されている。端子１２７と接触するように、基板１２０上に板バネ状電極１６３が設置されている。板バネ状電極１６３は、リアケース１１８に設けられた開口部１３９を介して端子１２７と接触している。電池１１０から、導電線１２６、端子１２７、板バネ状電極１６３を介して、基板１２０上の回路などに電池１１０から電流が供給される。
【０００８】
電池パックが収納された凹部を覆うように、電池カバー１６１が配置されている。電池カバー１６１は、その端部の接続部においてリアケース１１８に着脱可能に接続されている。ここで、電池パックにはリアケース１１８に電池パックを固定するための固定部など特に設けられていない。そのため、電池カバー１６１が電池パックを押圧して固定する機能を有する。
【０００９】
【発明が解決しようとする課題】
上述のような従来の携帯電話機においては、以下に述べるような問題があった。すなわち、図３５および３６に示した携帯電話機で用いている電池パック１０２は、ケース体１０５と外装部材１０４とを超音波溶着法により接合しているが、このような超音波溶着を行なうために専用の設備が必要になる。このような設備は、携帯電話機の製造コストが上昇する原因の一つとなっていた。
【００１０】
また、超音波溶着を行なうための設備では、外装部材１０４を固定するためにこの外装部材１０４の形状に適合する金型を用いる。一方、電池パック１０２の形状は、携帯電話機のモデルチェンジなどに伴って頻繁に変更される。したがって、電池パック１０２を構成する外装部材１０４の形状も頻繁に変更されるため、上記設備の金型も携帯電話機のモデルチェンジ毎に更新する必要があった。このような金型は高価なものであり、やはり携帯電話機の製造コストが上昇する原因の一つとなっていた。
【００１１】
また、超音波溶着を行なう際には、電池パック１０２に振動が加えられる。そのため、この振動により電池パック１０２内の保護回路などが損傷を受ける危険性がある。したがって、従来は、超音波溶着を行なった後、電池パック１０２の全数について検査を行なっていた。この検査は、超音波溶着による振動が加えられないならば省略可能なものであり、工程数の増加の原因となっていた。
【００１２】
また、電池パック１０２のケース体１０５と外装部材１０４とは、上記のように超音波溶着されるため、携帯電話機１０１のデザインが変更された場合、電池パック１０２の外装部材１０４のみを交換するといったことはできない。また、超音波溶着を行なうため、外装部材の形状が変わることで超音波溶着を行なう部分の強度の検証や、超音波溶着のプロセス条件の再検討など、電池パック全体の設計を見直す必要がある。そのため、携帯電話機１０１のモデルチェンジなどに対応する電池パック１０２を迅速かつ低コストで準備することは難しかった。
【００１３】
また、携帯電話機１０１の薄型化・小型化に伴って、電池パック１０２の電池１１０も薄型化・小型化が進んできている。このように電池１１０の薄型化が進んでくると、電池１１０をケース体１０５と外装部材１０４とで封止して電池パック１０２を形成した後においても、図３６に示したような構成の電池パック１０２では剛性が小さくなるので、電池１１０が外力により容易に変形する場合があった。このような電池１１０の変形は、電池１１０の性能の劣化などの不良の原因となっていた。
【００１４】
また、図３７に示したような携帯電話機１０１では、電池１０１とケース体１０５とからなる電池パックは携帯電話機１０１の本体には直接固定されず、電池カバー１６１によって押圧することにより固定されているのみであった。したがって、携帯電話機１０１がある高さから落下するなど、衝撃が加えられると、電池カバー１６１が外れて、電池パックも携帯電話機１０１の本体から容易に外れてしまうという問題があった。
【００１５】
また、図３７に示した操作キー１３３をユーザが押す場合、操作キー１３３を押す力が強いと操作キー１３３の下に位置する基板１２０が操作キー１３３を押すことにより変形する。このように基板１２０が変形すると、基板１２０の表面に実装されている素子１６５が欠損するなどの不良が発生する場合があった。このとき、操作キー１３３の下に位置する基板１２０下には、電池パックが位置しているが、この電池パックは上述のように携帯電話機１０１に直接固定されていないため、上述のような基板１２０の変形を防止するための補強部材としては特に効果を発揮しない。
【００１６】
この発明は、上記のような課題を解決するためになされたものであり、この発明の一つの目的は、低コストで、携帯機器のモデルチェンジなどに容易に対応する事が可能な電池パックを提供する事である。
【００１７】
この発明のもう一つの目的は、不良の発生を防止することが可能な、高い信頼性を有する電池パックを提供する事である。
【００１８】
【課題を解決するための手段】
この発明の１の局面における電池パックは、電池と、この電池を受け入れる電池用開口部を有するケース部材と、電池用開口部を覆うように配置され、ケース部材と着脱可能に接続された外装部材とを備え、外装部材は、電池パックが装着される携帯機器においてケース部材を内部に配置する電池パック用開口部を覆うことが可能な形状である。ケース部材と外装部材とのいずれか一方には凸部が形成される。ケース部材と外装部材とのいずれか他方には、凸部に対向する位置に開口部が形成される。ケース部材と外装部材とは、凸部が開口部に嵌まり込む嵌合部により着脱可能に接続される。ケース部材は、一方側壁と、当該一方側壁と反対側に位置する他方側壁と、一方側壁および他方側壁とは異なる他の側壁とを含む。外装部材は、ケース部材の一方側壁と対向する一方固定壁部と、ケース部材の他方側壁と対向する他方固定壁部と、ケース部材の他の側壁と対向する他の固定壁部とを含む。凸部は、一方側壁と一方固定壁部とのいずれか一方に形成された一方凸部と、他方側壁と他方固定壁部とのいずれか一方に形成された他方凸部と、他の側壁と他の固定壁部とのいずれか一方に形成された他の凸部とを含む。開口部は、一方開口部と他方開口部と他の開口部とを含む。一方開口部は、一方側壁と一方固定壁部とのいずれか他方において、一方凸部に対向する位置に形成される。他方開口部は、他方側壁と他方固定壁部とのいずれか他方において、他方凸部に対向する位置に形成される。他の開口部は、他の側壁と他の固定壁部とのいずれか他方において、他の凸部に対向する位置に形成される。一方固定壁部と一方側壁とは、一方凸部が一方開口部に嵌まり込む一方嵌合部により着脱可能に接続される。他方固定壁部と他方側壁とは、他方凸部が他方開口部に嵌まり込む他方嵌合部により着脱可能に接続される。他の固定壁部と他の側壁とは、他の凸部が他の開口部に嵌まり込む他の嵌合部により着脱可能に接続されている。
【００１９】
このようにすれば、電池パックを用いる携帯機器のモデルチェンジなどにともなって、電池パックの外装部材のデザインが変更されるような場合、外装部材とケース部材との着脱可能な接続部の形状を変えずに、外装部材のデザインのみを容易に変更できる。このため、電池パックを用いた携帯機器のモデルチェンジなどに対応して、迅速かつ低コストで電池パックのデザインを変更できる。
【００２０】
また、外装部材とケース部材とは着脱可能に接続されているので、旧モデル用の電池パックについて、外装部材を新しいデザインのものと交換する（古いデザインの外装部材を電池パックから取り外し、新しいデザインの外装部材をその電池パックのケース部材に取り付ける）ことが可能になる。このため、旧モデルの電池パックを新モデルの電池パックへと容易に再生できる。
【００２２】
また、ケース部材と外装部材とを嵌合部において着脱可能に接続するので、従来のようにケース部材と外装部材とを超音波溶着法などにより固着するという工程を行なう必要がない。したがって、従来のように電池パックを製造するために超音波溶着を行なうための設備を準備する必要がない。また、超音波溶着を行なわないため、従来必要であった外装部材を固定するための金型などを準備する必要もない。このため、上記設備を導入するための費用を削減できるので、電池パックの製造コストを低減することが可能になる。
【００２３】
また、上述のように超音波溶着を行なわないため、従来のように超音波溶着に伴う振動が電池パックに加えられることがない。したがって、この振動に起因して電池パックに不良が発生することもない。このため、従来超音波溶着工程後に行なわれていた検査工程を省略することが可能になる。この結果、電池パックの製造工程数を削減できるので、電池パックの製造コストを低減できる。
【００２５】
また、電池を収納するケース部材の一方側壁と他方側壁とには、それぞれ外装部材の一方固定壁と他方固定壁とが対向して配置されている。この一方固定壁および他方固定壁は、電池パックの外力による変形を抑制する補強部材としての役割を果たすことができる。したがって、電池パックの剛性を高めることができる。この結果、外力により電池パックの電池が変形することを防止できるので、電池が変形することによる電池の性能劣化といった不良の発生を防止できる。
【００２６】
この発明の他の局面における電池パックは、電池と、一方側壁とこの一方側壁とは反対側に位置し、一方側壁と対向するように配置される他方側壁と、一方側壁および他方側壁とは異なる他の側壁と、電池を受け入れる電池用開口部とを有するケース部材と、電池用開口部を覆うように配置され、ケース部材と接続された外装部材とを備える。外装部材は、ケース部材の一方側壁において他方側壁と対向する側面と反対側に位置する外周側面に対向するとともに一方側壁と接続された一方固定壁部と、ケース部材の他方側壁において一方側壁と対向する側面と反対側に位置する外周側面に対向するとともに他方側壁と接続された他方固定壁部と、ケース部材の他の側壁において電池用開口部側の側面と反対側に位置する外周側面に対向するとともに他の側壁と接続された他の固定壁部とを有する。ケース部材と外装部材とのいずれか一方には凸部が形成される。ケース部材と外装部材とのいずれか他方には、凸部に対向する位置に開口部が形成される。凸部は、一方側壁と一方固定壁部とのいずれか一方に形成された一方凸部と、他方側壁と他方固定壁部とのいずれか一方に形成された他方凸部と、他の側壁と他の固定壁部とのいずれか一方に形成された他の凸部とを含む。開口部は、一方側壁と一方固定壁部とのいずれか他方において、一方凸部に対向する位置に形成された一方開口部と、他方側壁と他方固定壁部とのいずれか他方において、他方凸部に対向する位置に形成された他方開口部と、他の側壁と他の固定壁部とのいずれか他方において、他の凸部に対向する位置に形成された他の開口部とを含む。一方固定壁部と一方側壁とは、一方凸部が一方開口部に嵌まり込む一方嵌合部により着脱可能に接続される。他方固定壁部と他方側壁とは、他方凸部が他方開口部に嵌まり込む他方嵌合部により着脱可能に接続される。他の固定壁部と他の側壁とは、他の凸部が他の開口部に嵌まり込む他の嵌合部により着脱可能に接続される。
【００２７】
このようにすれば、電池を収納するケース部材の一方側壁と他方側壁とに対向するように、外装部材の一方固定壁と他方固定壁とがそれぞれ配置されることになる。この一方固定壁および他方固定壁は、電池パックの外力による変形を抑制する補強部材として作用するので、電池パックの剛性を高めることができる。この結果、外力により電池パックが変形することを防止できるので、電池パックの変形に伴い電池が変形することを防止できる。したがって、この電池の変形による電池の性能劣化といった不良の発生を防止できる。
【００２９】
また、電池パックを用いる携帯機器のモデルチェンジなどにともなって、電池パックの外装部材のデザインが変更される際、外装部材とケース部材との着脱可能な接続部である一方嵌合部および他方嵌合部の形状を変えずに、外装部材のデザインのみを容易に変更できる。このため、電池パックを用いた携帯機器のモデルチェンジなどに対応して、迅速かつ低コストで電池パックのデザインを変更できる。
【００３０】
また、外装部材とケース部材とは着脱可能に接続されているので、旧モデル用の電池パックについて、外装部材を新しいデザインのものと交換することが可能になる。このため、旧モデルの電池パックを新しいデザインの外装部材を有する電池パックへと容易に再生できる。
【００３１】
また、ケース部材と外装部材とを一方嵌合部および他方嵌合部において着脱可能に接続するので、従来のようにケース部材と外装部材とを超音波溶着法などにより固着するという工程を行なう必要がない。したがって、電池パックを製造するために超音波溶着を行なうための設備を準備する必要がないので、上記設備を導入するための費用を削減できる。この結果、電池パックの製造コストを低減することが可能になる。
【００３２】
また、上述のように超音波溶着を行なわないので、電池パックが超音波溶着に伴う振動にさらされることはない。したがって、この振動に起因して電池パックに不良が発生することもないので、従来超音波溶着工程後に行なわれていた検査工程を省略することが可能になる。この結果、電池パックの製造工程数を削減できる。
【００３４】
また、ケース部材と外装部材とを、一方嵌合部および他方嵌合部だけでなく、上記の他の嵌合部においても接続することになる。したがって、ケース部材と外装部材とをより確実に接続できる。
【００８７】
【発明の実施の形態】
以下、図面に基づいて本発明の実施の形態を説明する。なお、以下の図面において、同一または相当する部分には同一の参照番号を付し、その説明は繰り返さない。
【００８８】
（実施の形態１）
図１は、本発明による携帯機器としての携帯電話機の実施の形態１を示す斜視模式図である。
【００８９】
図１を参照して、携帯電話機１は本体３と、この本体３に電流を供給する電池パック２とからなる。本体３は、フロントケース１９とリアケース１８と、このフロントケース１９およびリアケース１８との内部に収納される基板（図示せず）とを含む。基板上には、携帯電話機１の送受話用回路などを構成する素子が配置されている。また、フロントケース１９側においては、本体３に液晶表示画面や操作用ボタンなどが配置されている。電池パック２は、本体３の後部（リアケース１８側）に装着される。電池パック２には、電源供給部（図示せず）が形成されている。この電池パック２の電源供給部から、後述するように本体３へ電流が供給される。
【００９０】
図２は、図１に示した本発明による電池パック２の実施の形態１の斜視展開模式図である。また、図３は、図１の線分ＩＩＩ−ＩＩＩにおける電池パックの断面模式図である。図２および図３を参照して、電池パック２は外装部材４と、電池１０を受け入れる電池用開口部を有するケース部材５と、ケース部材５の電池用開口部の内部に収納された電池１０とからなる。ケース部材５の側壁９には、突出部としての凸部６ａ〜６ｆが形成されている。また、外装部材４は固定用壁部材８を含む。固定用壁部材８には、凸部６ａ〜６ｆに対向する位置にそれぞれ貫通孔である開口部７ａ〜７ｆが形成されている。外装部材４は、ケース部材５の電池用開口部を覆うように配置される。このとき、ケース部材５の凸部６ａ〜６ｆは、それぞれ外装部材４の開口部７ａ〜７ｆに嵌まり込む。この凸部６ａ〜６ｆが開口部７ａ〜７ｆにそれぞれ嵌まり込んだ一方嵌合部、他方嵌合部および他の嵌合部としての嵌合部１１により、ケース部材５と外装部材４とは着脱可能に接続されている。
【００９１】
このようにすれば、電池パック２を用いる携帯機器としての携帯電話機１のモデルチェンジなどにともなって、電池パック２の外装部材４のデザインが変更されるような場合、外装部材４とケース部材５との着脱可能な接続部である嵌合部１１の形状を変えずに、外装部材４のデザインのみを容易に変更できる。このため、電池パック２を用いた携帯電話機１のモデルチェンジなどに対応して、迅速かつ低コストで電池パック２のデザインを変更できる。
【００９２】
また、ケース部材５と外装部材４とを嵌合部１１において着脱可能に接続するので、従来のようにケース部材５と外装部材４とを超音波溶着法などにより固着するという工程を行なう必要がない。したがって、従来のように電池パック２を製造するために超音波溶着を行なうための設備を準備する必要がない。また、超音波溶着を行なわないため、超音波溶着を行なう際に従来必要であった外装部材４を固定するための金型などを準備する必要もない。このため、超音波溶着を行なうための設備を導入する費用を削減できるので、電池パック２の製造コストを低減することが可能になる。
【００９３】
また、上述のように超音波溶着を行なわないため、従来のように超音波溶着に伴う振動が電池パック２に加えられることがない。したがって、この振動に起因して電池パック２に不良が発生することもない。このため、従来超音波溶着工程後に行なわれていた検査工程を省略することが可能になる。この結果、電池パック２の製造工程数を削減できるので、電池パック２の製造コストを低減できる。
【００９４】
また、図２および３を参照して、ケース部材５は、一方突出部としての凸部６ａ、６ｂが形成された一方側壁としての側壁９と、この一方側壁としての側壁９と反対側に位置し、他方突出部としての凸部６ｄ、６ｅが形成された他方側壁としての側壁９とを含んでいる。外装部材４は、ケース部材５の一方側壁としての側壁９と対向し、一方開口部としての開口部７ａ、７ｂが形成された一方固定壁部としての固定用壁部材８を含む。また、外装部材４は、ケース部材５の他方側壁としての側壁９と対向し、他方開口部としての開口部７ｄ、７ｅが形成された他方固定壁部としての固定用壁部材８を含む。さらに、ケース部材５は、凸部６ｃ、６ｆが形成された他の側壁としての側壁９を含む。外装部材４は、上記他の側壁としての側壁９と対向し、開口部７ｃ、７ｆが形成された他の固定壁部としての固定用壁部材８を含む。
【００９５】
この場合、電池１０を収納するケース部材５の側壁９には、それぞれ固定用壁部材８が対向して配置されている。この固定用壁部材８は、電池パック２の外力による変形を抑制する補強部材としての役割を果たすことができる。したがって、電池パック２の剛性を高めることができる。この結果、外力により電池パック２における電池１０が変形することを防止できる。そのため、電池１０が変形することによる電池１０の性能劣化など不良の発生を防止できる。
【００９６】
また、ケース部材５の四方に嵌合部が配置されているので、ケース部材５と外装部材４とをより確実に接続できる。
【００９７】
また、図３を参照して、電池パック２では、開口部７ｂ、７ｄが凸部６ｂ、６ｄの下側に面する壁面と接触可能な側壁を有している。このようにすれば、凸部６ｂ、６ｄの壁面と開口部７ｂ、７ｄの側壁とが接触することにより、ケース部材５と外装部材４とを接続するとともに、ケース部材５に対する外装部材４の位置を正確に決定できる。
【００９８】
また、図２および３に示した電池パック２を備える携帯電話機１（図１参照）は、モデルチェンジに迅速に対応できるとともに、高信頼性でありかつ製造コストを低減できる電池パック２を備えるので、結果的にモデルチェンジを迅速かつ低コストで行なうことができる。
【００９９】
図４は、図１〜３に示した電池パックの実施の形態１の第１の変形例を示す断面模式図である。図４は図３に対応する。図４を参照して、本発明による電池パックの実施の形態１の第１の変形例を説明する。
【０１００】
図４を参照して、電池パック２は、基本的に図１〜３に示した電池パック２と同様の構造を備える。ただし、図４に示した電池パックでは、外装部材４のデザインが図１〜３に示した電池パック２とは異なる。なお、図４に示した外装部材４の固定用壁部材８と開口部７ａ〜７ｆ（図示せず）の構造は、図１〜３に示した電池パックと同様になっている。
【０１０１】
このように、外装部材４とケース部材５とは着脱可能に接続されているので、旧モデル用の電池パックについて、外装部材４を新しいデザインのものと交換する（古いデザインの外装部材４（図３参照）を電池パックから取り外し、図４に示したような新しいデザインの外装部材４をその電池パック２のケース部材５に取り付ける）ことが可能になる。このため、旧モデルの電池パック２（図３参照）を新モデルの電池パック２（図４参照）へと容易に再生できる。
【０１０２】
図５は、図１〜３に示した電池パックの実施の形態１の第２の変形例を示す断面模式図である。図５は図３に対応する。図５を参照して、本発明による電池パックの実施の形態１の第２の変形例を説明する。
【０１０３】
図５を参照して、電池パック２は、基本的には図１〜３に示した電池パック２と同様の構造を備える。ただし、図５に示した電池パック２では、外装部材４の固定用壁部材８に突出部としての凸部１２が形成されている。また、ケース部材５の側壁９には、凸部１２に対向する位置に開口部１３が形成されている。外装部材４の凸部１２は、図２に示した開口部７ａ〜７ｆと同じ位置に形成されている。また、ケース部材５の開口部１３は、図２に示した凸部６ａ〜６ｆと同じ位置に形成されている。ケース部材５と外装部材４とは、凸部１２が開口部１３に嵌まり込む嵌合部１１により、着脱可能に接続されている。図５に示した電池パック２によっても、図１〜３に示した電池パックと同様の効果を得ることができる。また、図５に示した電池パック２を備える携帯電話機は、図１に示した携帯電話機１と同様の効果を奏する。
【０１０４】
図６は、図１〜３に示した電池パックの実施の形態１の第３の変形例を示す断面模式図である。図６は図３に対応する。図６を参照して、本発明による電池パックの実施の形態１の第３の変形例を説明する。
【０１０５】
図６を参照して、電池パック２は、基本的には図１〜３に示した電池パックと同様の構造を備える。ただし、図６に示した電池パック２では、開口部１４は外装部材４の固定用壁部材８を貫通しない凹部となっている。
【０１０６】
この場合、図１〜３に示した電池パックによる効果に加えて、開口部１４が固定壁部材８を貫通していないので、嵌合部１１での機密性を高めることができる。この結果、嵌合部１１からケース部材５の内部の電池に水などが侵入することを確実に防止できる。このため、信頼性の高い電池パック２を得ることができる。さらに、この図６に示した電池パック２を携帯電話機に適用すれば、携帯電話機における電池パック２における水などの侵入に起因する故障の発生確率を低減できる。したがって、信頼性の高い携帯電話機を得ることができる。
【０１０７】
図７は、図１〜３に示した電池パックの実施の形態１の第４の変形例を示す断面模式図である。図７は図３に対応する。図７を参照して、本発明による電池パックの実施の形態１の第４の変形例を説明する。
【０１０８】
図７を参照して、電池パック２は、基本的には図５に示した電池パック２と同様の構造を備える。ただし、図７に示した電池パック２では、開口部１５はケース部材５の側壁９を貫通しない凹部となっている。
【０１０９】
この場合、図１〜３に示した電池パックによる効果に加えて、開口部１５が側壁９を貫通していないので、嵌合部１１での機密性を高めることができる。この結果、嵌合部１１からケース部材５の内部の電池に水などが侵入することを確実に防止できる。
【０１１０】
図８は、図１〜３に示した電池パックの実施の形態１の第５の変形例を示す断面模式図である。図８は図３に対応する。図８を参照して、本発明による電池パックの実施の形態１の第５の変形例を説明する。
【０１１１】
図８を参照して、電池パック２は基本的には図１〜３に示した電池パック２と同様の構造を備える。ただし、図８に示した電池パック２では、突出部としての凸部１６の断面形状が半円状となっている。
【０１１２】
この場合、凸部１６の断面形状が半円状であれば、凸部１６の端部に傾斜部を形成できる。このような傾斜部が存在することにより、凸部１６を開口部７ｂ、７ｄに嵌め込む作業を容易に行なうことができる。
【０１１３】
図９は、図１〜３に示した電池パックの実施の形態１の第６の変形例を示す断面模式図である。図９は図３に対応する。図９を参照して、本発明による電池パックの実施の形態１の第６の変形例を説明する。
【０１１４】
図９を参照して、電池パック２は基本的には図１〜３に示した電池パック２と同様の構造を備える。ただし、図９に示した電池パック２では、突出部としての凸部１７の断面形状が三角形状となっている。
【０１１５】
この場合、凸部１７の断面形状が三角形状であれば、図８に示した電池パック２と同様に、凸部１７の端部に傾斜部を形成できる。このような傾斜部が存在することにより、凸部１７を開口部７ｂ、７ｄに嵌め込む作業を容易に行なうことができる。
【０１１６】
図１０は、図１に示した携帯電話機１に電池パック２を装着した状態を示す斜視模式図である。図１１は、図１０の線分ＸＩ−ＸＩにおける断面模式図である。図１０および１１を参照して、本発明による携帯電話機の実施の形態１をより詳しく説明する。
【０１１７】
図１０および１１を参照して、携帯電話機１は、フロントケース１９と、フロントケース１９と接続されたリアケース１８と、このフロントケース１９およびリアケース１８の内部に保持される基板２０と、リアケースの電池パック用開口部に配置された電池パック２とを備える。電池パック２はその表面に形成された突起部２４と止め具部２３とを含む。電池パック２の突起部２４は、リアケース１８の開口部２５に挿入されている。また、電池パック２の止め具部２３は、リアケース１８の止め具２２下に位置し、止め具２２により押圧されている。この止め具２２と突起部２４とにより、電池パック２は携帯電話機１の本体の一部であるリアケース１８に対して位置決め・接続されている。
【０１１８】
電池パック２は、図１〜３を参照して説明したように、電池１０と、電池１０を受け入れる電池用開口部を有するケース部材５と、電池用開口部を覆うように配置され、ケース部材５と着脱可能に接続された外装部材４とからなる。ケース部材５と外装部材４とは、突出部としての凸部６ａ〜６ｆ（図３参照）が開口部７ａ〜７ｆにそれぞれ嵌まり込んでいる嵌合部によって着脱可能に接続されている。電池１０の電極（図示せず）と電気的に接続された導電線２６は、端子２７と接続されている。端子２７は、外装部材４に設置された外装部材側端子２８と電気的に接続されている。この外装部材側端子２８は、突起部２４の表面にまで延在する導電体としての延在部２９を含む。突起部２４の表面に位置する外装部材側端子２８の延在部２９は、リアケース１８に形成された開口部２５の内周面に配置され、導電体からなる本体側端子３０と接続されている。本体側端子３０は、開口部２５の内周面からリアケース１８の内面上に延在している。この本体側端子３０には、板バネ状給電端子部３１が接続されている。この板バネ状給電端子部３１は、基板２０上の基板側端子３２に接続している。基板２０上には、携帯電話機１の送受話用回路などを構成する素子が配置されている。基板側端子３２は、基板２０上の素子に電流を供給するためのものである。このようにして、電池パック２の電池１０から、導電線２６、端子２７、外装部材側端子２８、延在部２９、本体側端子３０、板バネ状給電端子部３１、基板側端子３２を介して、基板２０上の素子に電流が供給される。また、図１１を参照して、フロントケース１９には、液晶表示窓２１が形成されている。電池パック２の下に位置する領域には、操作部を構成する操作キー３３が配置されている。
【０１１９】
この場合、携帯電話機１において、上記突起部２４をリアケース１８の開口部２５に挿入することにより、電池パック２の位置決めおよび固定を行なうことができる。そして、上述のように開口部２５の側壁上に、電池パック２からの電流を受けるための受電電極である本体側端子３０を設置しているので、電池パック２から携帯電話機１の本体へと容易かつ確実に電流を供給できる。
【０１２０】
図１２は、図１０および１１に示した本発明による携帯電話機の実施の形態１の第１の変形例を示す部分断面模式図である。図１２は、携帯電話機の電池パックが装着された部分を示している。図１２を参照して、本発明による携帯電話機の実施の形態１の第１の変形例を説明する。
【０１２１】
図１２を参照して、携帯電話機１は、基本的に図１０および１１に示した携帯電話機１と同様の構造を備える。しかし、図１２に示した携帯電話機１では、電池パック２において電池１０の封止部上に端子２７が配置されている。この端子２７は電池１０と電気的に接続されている。そして、外装部材４の内周側において、端子２７に対向する領域には、外装部材側端子２８と電気的に接続された板バネ状端子４２を有する給電端子３４が設置されている。板バネ状端子４２は端子２７と電気的に接続されている。このようにして、電池１０から端子２７、板バネ状端子４２、外装部材側端子２８、延在部２９、本体側端子３０、板バネ状給電端子部３１、基板側端子３２を介して、基板２０上の素子に電流が供給される。
【０１２２】
この図１２に示した携帯電話機によっても、図１０および１１に示した携帯電話機１と同様の効果を得ることができる。
【０１２３】
図１３は、図１０および１１に示した本発明による携帯電話機の実施の形態１の第２の変形例を示す部分断面模式図である。図１３は、図１２と同様に携帯電話機において電池パックが装着された部分を示している。図１３を参照して、本発明による携帯電話機の実施の形態１の第２の変形例を説明する。
【０１２４】
図１３を参照して、携帯電話機は基本的には図１２に示した携帯電話機と同様の構造を備える。ただし、図１３に示した携帯電話機では、給電端子３４（図１２参照）に代えて、板バネ状端子３７ａ、３７ｂを有する給電コンタクト部材３６が外装部材４の内周側に外装部材側止め具部３５により固定されている。板バネ状端子３７ａは、電池１０の端子２７と電気的に接続されている。また、板バネ状端子３７ｂは、板バネ状端子３７ａと電気的に接続されると同時に、外装部材側端子２８と電気的に接続されている。このようにして、電池１０から端子２７、板バネ状端子３７ａ、３７ｂ、外装部材側端子２８、延在部２９、本体側端子３０、板バネ状給電端子部３１、基板側端子３２を介して、基板２０上の素子に電流が供給される。
【０１２５】
この図１３に示した携帯電話機によっても、図１０および１１に示した携帯電話機１と同様の効果を得ることができる。
【０１２６】
図１４は、図１０および１１に示した本発明による携帯電話機の実施の形態１の第３の変形例を示す部分断面模式図である。図１４は、図１２と同様に携帯電話機において電池パックが装着された部分を示している。図１４を参照して、本発明による携帯電話機の実施の形態１の第３の変形例を説明する。
【０１２７】
図１４を参照して、携帯電話機は基本的には図１２に示した携帯電話機と同様の構造を備える。ただし、図１４に示した携帯電話機では、電池パック２のケース部材５に給電端子４１を挿入するための開口部４０が形成されている。給電端子４１は、基板２０上に配置され、基板２０上に配置された素子に電流を供給するために用いられる。また、給電端子４１は、リアケース１８に形成された開口部３９および電池パック２の開口部４０を介して、電池パック２の内部に挿入されている。給電端子４１の先端部には、板バネ状端子４２が設置されている。板バネ状端子４２は、電池１０と電気的に接続された端子２７と接続されている。端子２７は、電池１０の封止部上に配置されている。また、端子２７には開口部４３が形成されている。この端子２７の開口部４３には外装部材４の凸部４４が挿入されている。この凸部４４は、端子２７の位置決めに用いられている。また、電池１０は粘着テープなどの固定部材３８により外装部材４に接続されている。電池１０から、端子２７、板バネ状端子４２、給電端子４１を介して、基板２０上の素子に電流が供給される。
【０１２８】
このようにすれば、図１〜３に示した携帯電話機１による効果と同様の効果を得られると同時に、携帯電話機１の基板２０上に配置された素子などに電池パック２から容易かつ確実に電流を供給できる。
【０１２９】
図１５は、図１０および１１に示した本発明による携帯電話機の実施の形態１の第４の変形例を示す部分断面模式図である。図１５は、図１２と同様に携帯電話機において電池パックが装着された部分を示している。図１５を参照して、本発明による携帯電話機の実施の形態１の第４の変形例を説明する。
【０１３０】
図１５を参照して、携帯電話機は基本的には図１４に示した携帯電話機と同様の構造を備える。ただし、図１５に示した携帯電話機では、電池パック２において、ケース部材５の内周側に端子２７の位置を固定するための押さえ部材４６が配置されている。この押さえ部材４６は、端子２７に形成された開口部４７にその先端部が挿入されている。また、押さえ部材４６と端子２７を挟んで対向するように、外装部材４の内修には受台４５が配置されている。このように、押さえ部材４６と受台４５とにより端子２７を把持することで、端子２７の位置を正確に固定できる。また、図１５に示した携帯電話機では、図１〜３に示した携帯電話機１と同様の効果も得ることができる。
【０１３１】
図１６は、図１０および１１に示した本発明による携帯電話機の実施の形態１の第５の変形例を示す部分断面模式図である。図１６は、図１２と同様に携帯電話機１において電池パック２が装着された部分を示している。図１７は、図１６に示した電池パックの展開斜視模式図である。図１６および１７を参照して、本発明による携帯電話機の実施の形態１の第５の変形例を説明する。
【０１３２】
図１６および１７を参照して、携帯電話機は基本的には図１４に示した携帯電話機と同様の構造を備える。ただし、図１６に示した携帯電話機では、電池パック２において、ケース部材５の電池パック用開口部の底面（基板２０に対向する面）に開口部４０が形成され、この開口部４０を塞ぐように電源供給部としての基板５０が配置されている。基板５０は、電池１０から見て外装部材４とは反対側に位置する領域に配置されている。
【０１３３】
基板５０の表面には、電極部（図示せず）が形成されている。基板５０の電極部は、電池１０と電極導電線５２、ＰＴＣ（Positive Temperature Coefficient）などの保護回路装置５１および導電線５３を介して電気的に接続されている。基板５０は、ケース部材５に基板固定部材４９により固定されている。
【０１３４】
この基板５０の電極部は、基板２０に面する領域に形成されている。そして、携帯電話機１の基板２０上に形成された電源ピン４８が基板５０の電極部に接触するように配置されている。この電源ピン４８は、基板２０上に配置された素子に電流を供給するために用いられる。このため、電池１０から、電極導電線５２、保護回路装置５１、導電線５３、基板２０上の電極部および電源ピン４８を介して基板２０上の素子に電流を供給できる。
【０１３５】
なお、図１６および１７に示した電池パックでは、図１〜３において示した電池パックと同様に、ケース部材５に突出部としての凸部６ａ〜６ｆが形成され、外装部材４には、凸部６ａ〜６ｆに対向する位置に開口部７ａ〜７ｆ（図示せず）が形成されている。
【０１３６】
ここで、電池パック２の外装部材４は携帯電話機１の外装の一部となっている。そして、携帯電話機の本体において、電池パック２が装着された際に電池パック２の基板５０と対向する位置に、電池パック２からの電流を受け取る受電部としての電源ピン４８を上述のように設置する。このとき、基板５０は、電池１０から見て外装部材４とは反対側、すなわち、携帯電話機の基板２０に面した領域に形成されている。そのため、携帯電話機において、上記基板５０に対応する位置に電源ピン４８を容易に配置することができる。この電源ピン４８と電池パック２の基板５０とは、電池パック２が携帯電話機に装着された際に接触するように配置されている。したがって、電池パック２を携帯電話機に装着することにより、容易かつ確実に電池パック２から携帯電話機の本体へ電流を供給できる。
【０１３７】
図１８は、図１０および１１に示した本発明による携帯電話機の実施の形態１の第６の変形例を示す部分断面模式図である。図１８は、図１２と同様に携帯電話機において電池パックが装着された部分を示している。図１９は、図１８に示した電池パックの展開斜視模式図である。図１８および１９を参照して、本発明による携帯電話機の実施の形態１の第６の変形例を説明する。
【０１３８】
図１８および１９を参照して、携帯電話機は基本的には図１６に示した携帯電話機と同様の構造を備える。ただし、図１８に示した携帯電話機では、電池パック２において、電源供給部としての基板５０が、外装部材４の外周面とほぼ平行な方向に面するように（ケース部材５の側壁９に面するように）配置されている。そして、ケース部材５の側壁９には、基板５０を露出させるための開口部５５が形成されている。基板５０は、基板固定部４９とケース部材５の内周面５８とにより固定されている。また、携帯電話機の基板２０上に配置された受電部としての電源ピン４８も、ケース部材５の側壁９が面する方向（横方向）から、リアケース１８に形成された開口部５７およびケース部材５の側壁９における開口部５５を介して、基板５０の電極部（図示せず）に接触するように配置されている。なお、電池パック２においては、基板５０を固定するため、基板５０上に、基板固定部４９が形成されたカバー部材５４が配置されている。
【０１３９】
この場合、電池パック２の基板５０と電源ピン４８とは、携帯電話機の外周面の一部を構成する外装部材４の外周面とほぼ平行な方向に並んだような配置となる。つまり、携帯電話機において、電源ピン４８は外装部材４の外周面に沿って電池パック２と隣接する位置（電池パック用開口部と重ならない領域）に配置される。図１６に示すように、電源ピン４８を電池パック用開口部の内部に（電池パック２と重なる領域に）配置すると、携帯電話機本体の厚みは少なくとも電池パック２と電源ピン４８との厚みの合計より厚くなる。しかし、上述のように電源ピン４８を電池パック２が配置される電池パック用開口部と重ならない領域に設置することにより、携帯電話機を薄型化することが可能になる。
【０１４０】
（実施の形態２）
図２０は、本発明による電池パックの実施の形態２を示す斜視展開模式図である。図２０を参照して、本発明による電池パックの実施の形態２を説明する。
【０１４１】
図２０を参照して、電池パック２は、基本的に図２に示した本発明の実施の形態１による電池パックと同様の構造を備える。ただし、図２０に示した電池パック２では、外装部材４において、対向する固定用壁部材５９ａ、５９ｂにのみ、それぞれ開口部７ｃ、７ｆが形成されている。また、ケース部材５においても、開口部７ｃ、７ｆに対向する領域にのみ、ケース部材５の側壁に凸部６ｃ、６ｆが形成されている。
【０１４２】
この場合、図２に示した本発明の実施の形態１による電池パックと同様の効果を得ることができる。
【０１４３】
図２１は、本発明による電池パックの実施の形態２の第１の変形例を示す斜視展開模式図である。図２１を参照して、本発明による電池パックの実施の形態２の第１の変形例を説明する。
【０１４４】
図２１を参照して、電池パック２は、基本的に図２に示した本発明の実施の形態１による電池パックと同様の構造を備える。ただし、図２１に示した電池パック２では、外装部材４において、対向する固定用壁部材５９ｃ、５９ｄにのみ、それぞれ開口部７ａ、７ｂ、７ｄ、７ｅが形成されている。また、ケース部材５においても、開口部７ａ、７ｂ、７ｄ、７ｅに対向する領域にのみ、ケース部材５の側壁９に凸部６ａ、６ｂ、６ｄ、６ｅが形成されている。
【０１４５】
この場合も、図２０に示した電池パックと同様の効果を得ることができる。
図２２は、本発明による電池パックの実施の形態２の第２の変形例を示す斜視展開模式図である。図２２を参照して、本発明による電池パックの実施の形態２の第２の変形例を説明する。
【０１４６】
図２２を参照して、電池パック２は、基本的に図２０に示した本発明の実施の形態２による電池パック２と同様の構造を備える。ただし、図２２に示した電池パック２では、外装部材４において、ケース部材５の凸部６ｃ、６ｆが形成された側壁９と対向するように配置された固定用壁部材６０のみが形成されている。この固定用壁部材６０では開口部７ｃ、７ｆが形成されている。また、ケース部材５においては、開口部７ｃ、７ｆに対向する領域にのみ、ケース部材５の側壁９に凸部６ｃ、６ｆが形成されている。
【０１４７】
この場合、図２０に示した電池パックと同様の効果を得ることができるとともに、電池パック２をより軽量化できる。
【０１４８】
図２３は、本発明による電池パックの実施の形態２の第３の変形例を示す斜視展開模式図である。図２３を参照して、本発明による電池パックの実施の形態２の第３の変形例を説明する。
【０１４９】
図２３を参照して、電池パック２は、基本的に図２１に示した電池パックと同様の構造を備える。ただし、図２３に示した電池パック２では、外装部材４において、ケース部材５の凸部６ａ、６ｂ、６ｄ、６ｅが形成された側壁９と対向するように配置された固定用壁部材６０のみが形成されている。固定用壁部材６０では、開口部７ａ、７ｂ、７ｄ、７ｅが形成されている。また、ケース部材５においては、開口部７ａ、７ｂ、７ｄ、７ｅに対向する領域にのみ、ケース部材５の側壁９に凸部６ａ、６ｂ、６ｄ、６ｅが形成されている。
【０１５０】
この場合も、図２２に示した電池パックと同様の効果を得ることができる。
（実施の形態３）
図２４は、本発明による携帯電話機の実施の形態３を示す断面模式図である。図２５は、図２４に示した携帯電話機の展開斜視模式図である。図２６は、図２５の線分ＸＸＶＩ−ＸＸＶＩにおける断面模式図である。図２７は、図２４に示した携帯電話機に電池パックが装着された部分を示す拡大断面模式図である。図２４〜２７を参照して、本発明による携帯電話機の実施の形態３を説明する。
【０１５１】
図２４〜２７を参照して、携帯電話機１は、基板２０を内部に保持するリアケース１８およびフロントケース１９と、ケース部材５の内部に収容された電池１０と、電池カバー６１と、アンテナ６７とを備える。フロントケース１９には、液晶表示窓２１が設置されている。基板２０のフロントケース１９側にはメタルドーム６４上に操作キー３３が配置された操作部が形成されている。操作部は、電池１０とケース部材５とが配置された領域と反対側に位置する領域に形成されている。基板２０上には、送受話回路などを構成する素子６５が配置されている。
【０１５２】
リアケース１８には、電池パックを収納するためのケース部材用開口部である凹部が形成されている。電池パックは電池１０と、電池１０を受け入れるとともに電池１０の表面の一部が露出する電池用開口部を有するケース部材５とからなる。リアケース１８の上記凹部の四方の側壁には、開口部６６ａ〜６６ｆが形成されている。ケース部材５の側壁には、開口部６６ａ〜６６ｆに対向する位置に接続部として作用する突出部としての凸部６ａ〜６ｆが形成されている。電池１０を収容したケース部材５は、凸部６ａ〜６ｆが開口部６６ａ〜６６ｆに嵌め込まれた嵌合部により携帯電話機１の本体の一部であるリアケース１８に着脱可能に接続されている。ケース部材５の電池用開口部は、基板２０に面した状態となっているので、電池１０とリアケース１８とは直接接触可能となっている。
【０１５３】
この場合、ケース部材５の電池用開口部をリアケース１８の表面が覆うことになるので、このリアケース１８の表面をケース部材５の電池用開口部の蓋として利用できる。したがって、ケース部材５の電池用開口部の内部に水などが侵入することを防止できる。この結果、水などに起因する電池１０の故障の発生を防止できる。
【０１５４】
また、電池用開口部の蓋としてリアケース１８の表面を利用するので、この電池用開口部の蓋として機能する蓋部材を電池パック２において準備する必要がない。したがって、蓋部材の厚みだけ、携帯電話機１の厚みを薄くすることができる。
【０１５５】
図２４を参照して、電池１０はケース部材５と粘着テープなどの固定部材３８により固定されている。電池パックのケース部材５には、基板２０側において、基板２０上の回路などに電流を供給するための電源供給部としての端子２７が配置されている。端子２７は、ケース部材５の電池用開口部が面する方向とほぼ平行な方向に面している。また、端子２７は、携帯電話機１の本体におけるケース部材用開口部の底壁に対向するように配置されている。端子２７は、電池１０と導電線２６を介して電気的に接続されている。端子２７と接触するように、基板２０上に給電部としての板バネ状電極６３が設置されている。板バネ状電極６３は、リアケース１８におけるケース部材用開口部としての凹部の底壁に設けられた開口部３９を介して端子２７と接触している。電池１０から、導電線２６、端子２７、板バネ状電極６３を介して、基板２０上の素子６５などに電流が供給される。
【０１５６】
このようにすれば、ケース部材５をケース部材用開口部としての凹部に固定することで、確実かつ容易に端子２７と板バネ状電極６３とを接続できる。このため、電池１０から携帯電話機１の本体へ確実に電流を供給できる。
【０１５７】
電池パックが収納されたリアケース１８の凹部を覆うように、電池カバー６１が配置されている。電池カバー６１は、その端部の接続部においてリアケース１８に着脱可能に接続されている。
【０１５８】
このようにすれば、リアケース１８のケース部材用開口部である凹部に収容されたケース部材５は嵌合部により携帯電話機１の本体に固定されているので、携帯電話機１がある高さから落下するなどの衝撃を受けた場合、携帯電話機１の本体からケース部材５および電池１０が外れることを防止できる。
【０１５９】
また、携帯電話機１の本体に電池１０とケース部材５とが嵌合部により固定されているので、このケース部材５が携帯電話機１の剛性を高める補強部材として作用する。したがって、ユーザが携帯電話機１の操作部にある操作キー３３などを押すことにより、携帯電話機１の本体が変形することをこのケース部材５により抑制できる。この結果、携帯電話機１の上記変形に起因する、携帯電話機１内部の素子６５などの故障を防止できる。
【０１６０】
また、ケース部材５の凸部６ａ〜６ｆを、携帯電話機１の本体における開口部６６ａ〜６６ｆに嵌め込むという簡単な操作により、ケース部材５を携帯電話機１に着脱可能に固定できる。この結果、本発明による携帯電話機１において、ケース部材５を携帯電話機１の本体に装着する工程が複雑化することを抑制できるので、携帯電話機１の製造コストの上昇を防止できる。
【０１６１】
また、図２６を参照して、携帯電話機１の本体を構成するリアケース１８では、開口部６６ｂ、６６ｄが凸部６ｂ、６ｄの下側に面する壁面と接触可能な側壁を有している。このようにすれば、凸部７ｂ、６ｄの壁面と開口部６６ｂ、６６ｄの側壁とが接触することにより、ケース部材５と携帯電話機１の本体とを接続するとともに、携帯電話機１の本体に対するケース部材５の位置を正確に決定できる。
【０１６２】
また、図２５を参照して、携帯電話機１では、ケース部材５が、一方突出部としての凸部６ａ、６ｂが形成された一方側壁と、この一方側壁と反対側に位置し、他方突出部としての凸部６ｄ、６ｅが形成された他方側壁とを含んでいる。携帯電話機１の本体を構成するリアケース１８は、ケース部材５の上記一方側壁と対向する一方固定壁部と、ケース部材の他方側壁と対向する他方固定壁部とを含む。リアケース１８の一方固定壁には、凸部６ａ、６ｂと対向する位置に一方開口部としての開口部６６ａ、６６ｂが形成されている。リアケース１８の他方固定壁には、凸部６ｄ、６ｅと対向する位置に他方開口部としての開口部６６ｄ、６６ｅが形成されている。一方固定壁部と一方側壁とは、凸部６ａ、６ｂが開口部６６ａ、６６ｂに嵌まり込む一方接続部としての一方嵌合部により着脱可能に接続されている。他方固定壁部と他方側壁とは、凸部６ｄ、６ｅが開口部６６ｄ、６６ｅに嵌まり込む他方接続部としての他方嵌合部により着脱可能に接続されている。
【０１６３】
この場合、一方嵌合部と他方嵌合部という少なくとも２箇所において、ケース部材５を携帯電話機１の本体に固定することになる。したがって、ケース部材５を携帯電話機１の本体へ確実に固定できる。このため、外部からの衝撃などにより電池１０およびケース部材５が携帯電話機１の本体から外れることを防止できる。したがって、高い信頼性を有する携帯電話機１を得ることができる。
【０１６４】
また、図２５に示した携帯電話機１では、ケース部材５が一方側壁および他方側壁とは異なり、他の突出部としての凸部６ｃ、６ｆが形成された他の側壁を含む。また、携帯電話機１のリアケース１８は、ケース部材５の他の側壁と対向し、他の開口部としての開口部６６ｃ、６６ｆが形成された他の固定壁部を含む。他の固定壁部と他の側壁とは、凸部６ｃ、６ｆが開口部６６ｃ、６６ｆに嵌まり込む他の接続部としての他の嵌合部により着脱可能に接続されている。
【０１６５】
この場合、ケース部材５の四方に位置する嵌合部により、ケース部材５を携帯電話機１の本体へ接続している。したがって、ケース部材５を携帯電話機１の本体へより確実に接続できる。
【０１６６】
また、ケース部材５の凸部６ａ〜６ｆをリアケース１８の開口部６６ａ〜６６ｆに嵌め合わせることにより、ケース部材５をリアケース１８に容易かつ確実に固定することができる。
図２８は、図２４〜２７に示した本発明による携帯電話機の実施の形態３の第１の変形例を示す断面模式図である。図２８は図２６に対応する。図２８を参照して、本発明による携帯電話機の実施の形態３の第１の変形例を説明する。
【０１６７】
図２８を参照して、携帯電話機は、基本的に図２４〜２７に示した携帯電話機と同様の構造を備える。ただし、図２８に示した携帯電話機では、リアケース１８に形成された開口部６８がリアケース１８の壁面を貫通しない凹部となっている。この開口部６８は、図２５に示した開口部６６ａ〜６６ｆと同じ位置に形成されている。
【０１６８】
この場合、図２４〜２７に示した携帯電話機による効果に加えて、開口部６８がリアケース１８の壁面を貫通していないので、開口部６８での機密性を高めることができる。この結果、嵌合部６８からケース部材５の内部の電池１０に水などが侵入することを確実に防止できる。
なお、図２４〜２８に示した携帯電話機では、凸部６ａ〜６ｄの断面形状を、図８および９に示した凸部１６、１７のように三角形状あるいは半円状としてもよい。
【０１６９】
この場合、凸部１６、１７の断面形状が三角形状または半円状であれば、凸部１６、１７の端部に傾斜部を形成できる。このような傾斜部が存在することにより、ケース部材５を携帯電話機１の本体に固定する工程において、凸部１６、１７を開口部６８に嵌め込む作業を容易に行なうことができる。
【０１７０】
図２９は、図２４〜２７に示した本発明による携帯電話機の実施の形態３の第２の変形例を示す断面模式図である。図２９は図２６に対応する。図２９を参照して、本発明による携帯電話機の実施の形態３の第２の変形例を説明する。
【０１７１】
図２９を参照して、携帯電話機は、基本的に図２４〜２７に示した携帯電話機と同様の構造を備える。ただし、ケース部材５の凸部６ａ〜６ｆ（図２５参照）が形成されていた部分には開口部１３が形成されている。そして、この開口部１３に対向する位置には、リアケース１８に突出部としての凸部６９が形成されている。この場合、図２４〜２７に示した携帯電話機と同様の効果を得ることができる。
【０１７２】
なお、図２９に示した携帯電話機では、凸部６９の断面形状を、図８および９に示した凸部１６、１７のように三角形状あるいは半円状としてもよい。
【０１７３】
この場合、凸部６９の断面形状が三角形状または半円状であれば、凸部６９の端部に傾斜部を形成できる。このような傾斜部が存在することにより、ケース部材５を携帯電話機１の本体に固定する工程において、凸部６９を開口部１３に嵌め込む作業を容易に行なうことができる。
【０１７４】
なお、開口部１３を、ケース部材５の側壁を貫通しない凹部としてもよい。
図３０は、図２４〜２７に示した本発明による携帯電話機の実施の形態３の第３の変形例を示す断面模式図である。図３０は図２７に対応する。図３０を参照して、本発明による携帯電話機の実施の形態３の第３の変形例を説明する。
【０１７５】
図３０を参照して、携帯電話機は、基本的に図２４〜２７に示した携帯電話機と同様の構造を備える。ただし、電池パックから携帯電話機の本体への電源供給方法が異なる。すなわち、図３０に示した携帯電話機では、板バネ状端子３７ａ、３７ｂを有する給電コンタクト部材３６がリアケース１８の電池パックを収納する領域に設置されている。板バネ状端子３７ａは、電池１０の端子２７と電気的に接続されている。また、板バネ状端子３７ｂは、板バネ状端子３７ａと電気的に接続されると同時に、基板側端子３２と電気的に接続されている。このようにして、電池１０から端子２７、板バネ状端子３７ａ、３７ｂ、基板側端子３２を介して、基板２０上の素子６５に電流が供給される。
【０１７６】
この場合、図２４〜２７に示した携帯電話機により得られる効果と同様の効果を得ることができる。
【０１７７】
図３１は、図２４〜２７に示した本発明による携帯電話機の実施の形態３の第４の変形例を示す断面模式図である。図３１は図２７に対応する。図３１を参照して、本発明による携帯電話機の実施の形態３の第４の変形例を説明する。
【０１７８】
図３１を参照して、携帯電話機は、基本的に図２４〜２７に示した携帯電話機と同様の構造を備える。ただし、図３１に示した携帯電話機では、給電端子４１が基板２０上に配置され、基板２０上に配置された素子６５に電流を供給するために用いられる。給電端子４１は、リアケース１８に形成された開口部３９を介して、電池パックの内部に挿入されている。給電端子４１の先端部には、板バネ状端子４２が設置されている。板バネ状端子４２は、電池１０と電気的に接続された端子２７と接続されている。端子２７は、電池１０の封止部上に配置されている。電池１０から、端子２７、板バネ状端子４２、給電端子４１を介して、基板２０上の素子６５に電流が供給される。
【０１７９】
この場合、図２４〜２７に示した携帯電話機により得られる効果と同様の効果を得ることができる。
【０１８０】
図３２は、図２４〜２７に示した本発明による携帯電話機の実施の形態３の第５の変形例を示す断面模式図である。図３２は図２７に対応する。図３２を参照して、本発明による携帯電話機の実施の形態３の第５の変形例を説明する。
【０１８１】
図３２を参照して、携帯電話機は、基本的に図２４〜２７に示した携帯電話機と同様の構造を備える。ただし、図３２に示した携帯電話機では、電池パックにおいて、基板５０が、ケース部材５の電池用開口部が面する方向とほぼ垂直な方向に面するように（リアケース１８のケース部材５と電池１０とを収納する部分のである凹部（ケース部材用開口部）の側壁に対向するように）配置されている。そして、ケース部材５の側壁には、電源供給部としての基板５０を露出させるための開口部５５が形成されている。携帯電話機１の基板２０上に配置された給電部としての電源ピン４８は、ケース部材５の側壁が面する方向（横方向）から、リアケース１８に形成された開口部５７およびケース部材５における凹部の側壁に形成された開口部５５を介して、基板５０の電極部（図示せず）に接触するように配置されている。電源ピン４８の先端部には、基板５０の電極部に接触するように板バネ状端子４２が設置されている。なお、電池パックにおいては、基板５０を固定するため、基板５０をケース部材５と把持するように、基板固定部が形成されたカバー部材５４が配置されている。
【０１８２】
基板５０の電極部（図示せず）は、電極導電線５２、ＰＴＣなどの保護回路装置５１および導電線５３を介して電池１０と電気的に接続されている。基板５０は、ケース部材５に基板固定部材により固定されている。このため、電池１０から、電極導電線５２、保護回路装置５１、導電線５３、基板２０上の電極部および電源ピン４８を介して基板２０上の素子に電流を供給できる。
【０１８３】
この場合、携帯電話機１の本体においてケース部材用開口部としての凹部とは重ならない領域（つまり、携帯電話機１の外周面に沿った方向においてケース部材と隣接する領域）に電源ピン４８を配置できる。したがって、ケース部材５と重なるように給電部としての電源ピン４８を配置する場合より、携帯電話機１の厚みを薄くできる。
【０１８４】
（実施の形態４）
図３３は、本発明による携帯電話機の実施の形態４を示す展開斜視模式図である。図３３を参照して、本発明による携帯電話機の実施の形態４を説明する。
【０１８５】
図３３を参照して、携帯電話機１は、基本的には図２４〜２７に示した本発明による携帯電話機の実施の形態３と同様の構造を備える。ただし、図３３に示した携帯電話機１では、電池１０を収納するケース部材５の対向する一組の側壁にのみ、凸部６ａ、６ｂ、６ｄ、６ｅが形成されている。また、リアケース１８においても、上記凸部６ａ、６ｂ、６ｄ、６ｅに対向する位置にのみ、開口部６６ａ、６６ｂ、６６ｄ、６６ｅが形成されている。ケース部材５は、これらの凸部６ａ、６ｂ、６ｄ、６ｅが開口部６６ａ、６６ｂ、６６ｄ、６６ｅに嵌め込まれる事により、着脱可能にリアケース１８へと固定される。
【０１８６】
この場合も、図２４〜２７に示した携帯電話機と同様の効果を得ることができる。
【０１８７】
図３４は、本発明による携帯電話機の実施の形態４の変形例を示す展開斜視模式図である。図３４を参照して、本発明による携帯電話機の実施の形態４の変形例を説明する。
【０１８８】
図３４を参照して、携帯電話機１は、基本的には図２４〜２７に示した本発明による携帯電話機の実施の形態３と同様の構造を備える。ただし、図３４に示した携帯電話機１では、電池１０を収納するケース部材５の側壁のうち、図３３において凸部６ａ、６ｂ、６ｄ、６ｅが形成された側壁とは異なる側壁にのみ、凸部６ｃ、６ｆが形成されている。また、リアケース１８においても、上記凸部６ｃ、６ｆに対向する位置にのみ、開口部６６ｃ、６６ｆが形成されている。ケース部材５は、これらの凸部６ｃ、６ｆが開口部６６ｃ、６６ｆに嵌め込まれる事により、着脱可能にリアケース１８へと固定される。
【０１８９】
この場合も、図２４〜２７に示した携帯電話機と同様の効果を得ることができる。
【０１９０】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【０１９１】
【発明の効果】
この発明によれば、電池パックにおいて電池を保持するケース部材と外装部材とを着脱可能に接続することにより、携帯機器のモデルチェンジなどの容易に対応可能な電池パックを得ることができる。
【図面の簡単な説明】
【図１】  本発明による携帯機器としての携帯電話機の実施の形態１を示す斜視模式図である。
【図２】  図１に示した本発明による電池パックの実施の形態１の斜視展開模式図である。
【図３】  図１の線分ＩＩＩ−ＩＩＩにおける電池パックの断面模式図である。
【図４】  図１〜３に示した電池パックの実施の形態１の第１の変形例を示す断面模式図である。
【図５】  図１〜３に示した電池パックの実施の形態１の第２の変形例を示す断面模式図である。
【図６】  図１〜３に示した電池パックの実施の形態１の第３の変形例を示す断面模式図である。
【図７】  図１〜３に示した電池パックの実施の形態１の第４の変形例を示す断面模式図である。
【図８】  図１〜３に示した電池パックの実施の形態１の第５の変形例を示す断面模式図である。
【図９】  図１〜３に示した電池パックの実施の形態１の第６の変形例を示す断面模式図である。
【図１０】  図１に示した携帯電話機に電池パックを装着した状態を示す斜視模式図である。
【図１１】  図１０の線分ＸＩ−ＸＩにおける断面模式図である。
【図１２】  図１０および１１に示した本発明による携帯電話機の実施の形態１の第１の変形例を示す部分断面模式図である。
【図１３】  図１０および１１に示した本発明による携帯電話機の実施の形態１の第２の変形例を示す部分断面模式図である。
【図１４】  図１０および１１に示した本発明による携帯電話機の実施の形態１の第３の変形例を示す部分断面模式図である。
【図１５】  図１０および１１に示した本発明による携帯電話機の実施の形態１の第４の変形例を示す部分断面模式図である。
【図１６】  図１０および１１に示した本発明による携帯電話機の実施の形態１の第５の変形例を示す部分断面模式図である。
【図１７】  図１６に示した電池パックの展開斜視模式図である。
【図１８】  図１０および１１に示した本発明による携帯電話機の実施の形態１の第６の変形例を示す部分断面模式図である。
【図１９】  図１８に示した電池パックの展開斜視模式図である。
【図２０】  本発明による電池パックの実施の形態２を示す斜視展開模式図である。
【図２１】  本発明による電池パックの実施の形態２の第１の変形例を示す斜視展開模式図である。
【図２２】  本発明による電池パックの実施の形態２の第２の変形例を示す斜視展開模式図である。
【図２３】  本発明による電池パックの実施の形態２の第３の変形例を示す斜視展開模式図である。
【図２４】  本発明による携帯電話機の実施の形態３を示す断面模式図である。
【図２５】  図２４に示した携帯電話機の展開斜視模式図である。
【図２６】  図２５の線分ＸＸＶＩ−ＸＸＶＩにおける断面模式図である。
【図２７】  図２４に示した携帯電話機に電池パックが装着された部分を示す拡大断面模式図である。
【図２８】  図２４〜２７に示した本発明による携帯電話機の実施の形態３の第１の変形例を示す断面模式図である。
【図２９】  図２４〜２７に示した本発明による携帯電話機の実施の形態３の第２の変形例を示す断面模式図である。
【図３０】  図２４〜２７に示した本発明による携帯電話機の実施の形態３の第３の変形例を示す断面模式図である。
【図３１】  図２４〜２７に示した本発明による携帯電話機の実施の形態３の第４の変形例を示す断面模式図である。
【図３２】  図２４〜２７に示した本発明による携帯電話機の実施の形態３の第５の変形例を示す断面模式図である。
【図３３】  本発明による携帯電話機の実施の形態４を示す展開斜視模式図である。
【図３４】  本発明による携帯電話機の実施の形態４の変形例を示す展開斜視模式図である。
【図３５】  従来の携帯機器の例としての携帯電話機を示す斜視模式図である。
【図３６】  図３５の線分ＸＸＸＶＩ−ＸＸＸＶＩにおける、携帯電話機に用いられる電池パックの断面模式図である。
【図３７】  従来の携帯電話機のもう一つの例を示す断面模式図である。
【符号の説明】
１  携帯電話機、２  電池パック、３  本体、４  外装部材、５  ケース部材、６ａ〜６ｆ，１２，１６，１７，４４，６９  凸部、７ａ〜７ｆ，１３，１４，１５，２５，３９，４０，４３，４７，５５，５６，５７，６６ａ〜６６ｆ，６８  開口部、８，５９ａ〜５９ｄ，６０  固定用壁部材、９  側壁、１０  電池、１１，６２  嵌合部、１８  リアケース、１９  フロントケース、２０，５０  基板、２１  液晶表示窓、２２  止め具、２３，７０  止め具部、２４  突起部、２６，５３  導電線、２７  端子、２８  外装部材側端子、２９  延在部、３０  本体側端子、３１  板バネ状給電端子部、３２  基板側端子、３３  操作キー、３４，４１  給電端子、３５  外装部材側止め具部、３６  給電コンタクト部材、３７，４２  板バネ状端子、３８  固定部材、４５  受台、４６  押さえ部材、４８  電源ピン、４９  基板固定部、５１  保護回路装置、５２  電極導電線、５４  カバー部材、５８  内周面、６１  電池カバー、６３  板バネ状電極、６４  メタルドーム、６５  素子、６７  アンテナ。
【図１】
0004073612.tif 000002
【図２】
0004073612.tif 000003
【図３】
0004073612.tif 000004
【図４】
0004073612.tif 000005
【図５】
0004073612.tif 000006
【図６】
0004073612.tif 000007
【図７】
0004073612.tif 000008
【図８】
0004073612.tif 000009
【図９】
0004073612.tif 000010
【図１０】
0004073612.tif 000011
【図１１】
0004073612.tif 000012
【図１２】
0004073612.tif 000013
【図１３】
0004073612.tif 000014
【図１４】
0004073612.tif 000015
【図１５】
0004073612.tif 000016
【図１６】
0004073612.tif 000017
【図１７】
0004073612.tif 000018
【図１８】
0004073612.tif 000019
【図１９】
0004073612.tif 000020
【図２０】
0004073612.tif 000021
【図２１】
0004073612.tif 000022
【図２２】
0004073612.tif 000023
【図２３】
0004073612.tif 000024
【図２４】
0004073612.tif 000025
【図２５】
0004073612.tif 000026
【図２６】
0004073612.tif 000027
【図２７】
0004073612.tif 000028
【図２８】
0004073612.tif 000029
【図２９】
0004073612.tif 000030
【図３０】
0004073612.tif 000031
【図３１】
0004073612.tif 000032
【図３２】
0004073612.tif 000033
【図３３】
0004073612.tif 000034
【図３４】
0004073612.tif 000035
【図３５】
0004073612.tif 000036
【図３６】
0004073612.tif 000037
【図３７】
0004073612.tif 000038